(57)【要約】  本発明は、コンテンツプッシュサービス提供装置およびその方法、そのための移動端末およびその運用方法に関する。本発明によれば、移動端末とコンテンツプッシュサービス提供サーバーとの間にユーザーデータグラムプロトコル（ＵＤＰ）ポートを設定する。設定したユーザーデータグラムプロトコル（ＵＤＰ）ポートを通して、コンテンツプッシュサービス提供サーバーの要求によって移動端末でコンテンツプッシュサービスが提供されるアプリケーションを駆動する。移動端末は駆動されたアプリケーションを通して、コンテンツプッシュサービスサーバーからコンテンツプッシュサービスの提供を受ける。したがって、既存のアプリケーションごとに特定識別子の選定および移動通信網のノードごとに特定識別子を認識しなければならないという煩わしさを解消できる。
2010509833.tif 000002
【特許請求の範囲】
【請求項１】
コンテンツプッシュサービスを提供するための移動端末において、
各種プッシュコンテンツを受信するためのアプリケーションおよび前記アプリケーションを実行させるアプリケーション運用モジュールを記憶するメモリと、
前記コンテンツプッシュサービスを提供するサーバーの要請によって、ユーザーデータグラムプロトコル（ＵＤＰ）ポートを前記サーバーとの間に設定し、前記メモリに記憶されたアプリケーション運用モジュールを起動した後、前記設定されたユーザーデータグラムプロトコルポートを通して、前記サーバーから提供されるプッシュコンテンツを受信するアプリケーションを駆動する制御部とを含むことを特徴とする移動端末。
【請求項２】
前記制御部は、
前記サーバーの要請により前記サーバーとの間にユーザーデータグラムプロトコルポートを設定し、前記アプリケーション運用モジュールを起動して前記アプリケーションを駆動するアプリケーション運用モジュール制御モジュールと、
前記ユーザーデータグラムプロトコルポートを通して、前記サーバーから提供されるプッシュコンテンツを前記アプリケーションに伝達するプッシュコンテンツ提供モジュールとを含むことを特徴とする請求項１に記載の移動端末。
【請求項３】
前記制御部は、
前記移動端末に移動通信サービスを提供する移動通信網との間にトラフィックチャンネルを設定するトラフィックチャンネル設定モジュールと、
前記移動通信網からＩＰアドレスが割り当てられるＩＰ割り当て制御モジュールとをさらに含むことを特徴とする請求項２に記載の移動端末。
【請求項４】
前記アプリケーション運用モジュール制御モジュールは、
前記ユーザーデータグラムプロトコルポートを通して、前記サーバーから前記アプリケーションの駆動要請を受信する受信器と、
前記駆動要請が受信されると、前記メモリに記憶された前記アプリケーション運用モジュールを呼び出して起動させる駆動部と、
前記駆動要請に対する応答を前記サーバーに送信する送信器とを含むことを特徴とする請求項３に記載の移動端末。
【請求項５】
コンテンツプッシュサービスを提供するための移動端末の運用方法において、
（ａ）コンテンツプッシュサービスを提供するサーバーとの間に設定されたユーザーデータグラムプロトコルポートを通して、前記サーバーが提供するプッシュコンテンツを受信するアプリケーションの駆動要請を受信する段階と、
（ｂ）前記駆動要請によってアプリケーションを実行させるアプリケーション運用モジュールを起動した後、前記起動されたアプリケーション運用モジュールによって、前記駆動要請されたアプリケーションを駆動する段階と、
（ｃ）前記ユーザーデータグラムプロトコルポートを通して、前記サーバーから提供されるプッシュコンテンツを受信して、前記駆動されたアプリケーションを通して実行させる段階とを含むことを特徴とする移動端末の運用方法。
【請求項６】
前記（ａ）段階前に、
移動通信網との間にトラフィックチャンネルを設定する段階と、
前記設定されたトラフィックチャンネルを通して、前記移動通信網からＩＰアドレスが割り当てられる段階と、
前記トラフィックチャンネルを解除する段階とをさらに含むことを特徴とする請求項５に記載の移動端末の運用方法。
【請求項７】
前記（ａ）段階において、前記アプリケーションの駆動要請は、前記移動通信網との間に設定されたトラフィックチャンネルを通して受信され、前記トラフィックチャンネルは、前記割り当てられたＩＰアドレスを利用して設定されることを特徴とする請求項６に記載の移動端末の運用方法。
【請求項８】
前記（ｂ）段階において、前記駆動要請されたアプリケーションの駆動が完了すると、前記駆動要請に対する応答を前記サーバーに送信することを特徴とする請求項７に記載の移動端末の運用方法。
【請求項９】
移動通信網を通して、移動端末にコンテンツプッシュサービスを提供するためのコンテンツプッシュサービス提供装置において、
コンテンツプッシュサービスが提供される移動端末のＩＰアドレスを前記移動通信網を通して獲得する端末ＩＰ獲得部と、
前記端末ＩＰ獲得部によって獲得されたＩＰアドレスを用いて、コンテンツプッシュサービスが提供されるアプリケーションの駆動を前記移動端末に要請するアプリケーション駆動要請部と、
前記移動通信網を通して、プッシュコンテンツを前記移動端末に提供するプッシュコンテンツ提供部と、
前記端末ＩＰ獲得部を通して前記移動端末のＩＰアドレスを獲得し、前記アプリケーション駆動要請部を通して前記移動端末にあるアプリケーションを駆動した後、前記プッシュコンテンツ提供部を通して前記移動端末にプッシュコンテンツサービスを提供する制御部とを含むことを特徴とするコンテンツプッシュサービス提供装置。
【請求項１０】
前記制御部は、前記移動端末に対するコンテンツプッシュサービスイベントが発生した場合に、前記移動端末にコンテンツプッシュサービスを提供することを特徴とする請求項９に記載のコンテンツプッシュサービス提供装置。
【請求項１１】
前記アプリケーション駆動要請部および前記プッシュコンテンツ提供部は、前記移動通信網を通して前記移動端末との間に設定されたユーザーデータグラムプロトコルポートを通して、前記移動端末にコンテンツプッシュサービスを提供することを特徴とする請求項９に記載のコンテンツプッシュサービス提供装置。
【請求項１２】
コンテンツプッシュサービスを提供するサーバーが移動通信網を通して移動端末にコンテンツプッシュサービスを提供する方法において、
（ａ）前記移動通信網を通して前記移動端末のＩＰアドレスを獲得する段階と、
（ｂ）前記獲得されたＩＰアドレスを用いて前記移動端末との間に設定されたユーザーデータグラムプロトコルポートを通して、前記サーバーが提供するプッシュコンテンツを受信するアプリケーションの駆動要請を前記移動端末に送信する段階と、
（ｃ）前記アプリケーションの駆動要請に対する応答が前記移動端末から受信された場合に、前記移動通信網を通して前記移動端末にコンテンツプッシュサービスを提供する段階とを含むことを特徴とするコンテンツプッシュサービス提供方法。
【請求項１３】
前記（ａ）段階前に、
前記移動端末に対するコンテンツプッシュサービスイベント発生を感知する段階をさらに含み、
前記移動端末に対するコンテンツプッシュサービスイベント発生が感知された場合に、前記移動端末にコンテンツプッシュサービスを提供することを特徴とする請求項１２に記載のコンテンツプッシュサービス提供方法。
【請求項１４】
前記（ｂ）段階と前記（ｃ）段階との間に、前記（ｂ）段階で送信されたアプリケーションの駆動要請に対して、前記移動端末からの応答が受信されるか否かを判断する段階をさらに含み、
前記移動端末から前記アプリケーションの駆動要請に対する応答が受信され、当該応答が前記アプリケーションの駆動が完了したことを示す場合、前記（ｃ）段階が行われることを特徴とする請求項１２に記載のコンテンツプッシュサービス提供方法。
【請求項１５】
移動通信網でコンテンツプッシュサービスを提供する方法において、
（ａ）前記移動通信網に接続された前記コンテンツプッシュサービスを提供するサーバーから、前記移動端末のＩＰアドレスが含まれ前記コンテンツプッシュサービスが提供される移動端末でのアプリケーションの駆動要請を受けて、前記移動端末との間にトラフィックチャンネルを設定する段階と、
（ｂ）前記設定されたトラフィックチャンネルを通して、前記移動端末に前記サーバーから受け取られるアプリケーションの駆動要請を伝達する段階と、
（ｃ）前記移動端末と前記サーバーとの間に設定されたユーザーデータグラムプロトコルポートを通して、前記サーバーから提供されるコンテンツプッシュサービスを前記移動端末に提供する段階とを含むことを特徴とするコンテンツプッシュサービス提供方法。
【請求項１６】
前記（ａ）段階は、
前記サーバーの要請によって前記移動端末に割り当てたＩＰアドレスを提供する段階と、
前記サーバーから前記アプリケーションの駆動要請を受信する段階と、
前記ＩＰアドレスを用いて、前記移動端末との間にトラフィックチャンネルを設定する段階とを含むことを特徴とする請求項１５に記載のコンテンツプッシュサービス提供方法。
【請求項１７】
前記（ｃ）段階は、
前記移動端末から前記アプリケーションの駆動要請に対する応答を受信して前記サーバーに伝達する段階と、
前記サーバーから提供されるコンテンツプッシュサービスを受信して、前記移動端末に提供する段階とをさらに含むことを特徴とする請求項１６に記載のコンテンツプッシュサービス提供方法。
【請求項１８】
前記（ａ）段階前に、
前記移動端末からの要求によって前記移動端末との間にトラフィックチャンネルを設定する段階と、
前記移動端末からの要求によって前記移動端末にＩＰアドレスが割り当てられる段階と、
前記移動端末との間に設定されたトラフィックチャンネルを解除する段階とを含むことを特徴とする請求項１５に記載のコンテンツプッシュサービス提供方法。
【発明の詳細な説明】
【技術分野】
【０００１】
本発明は、コンテンツプッシュサービスに関するものであって、より詳しくは、アプリケーションが駆動されていない状態でコンテンツプッシュサービスを提供する方法およびその装置、そのための移動端末およびその運用方法に関するものである。
【背景技術】
【０００２】
コンテンツプッシュサービスとは、有線・無線インターネットまたは移動通信サービスで、クライアント側または端末側の使用者の検索操作によらず、サーバーの操作によって、サーバー上にある情報をクライアントまたは端末に自動伝送するサービスをいい、クライアント側の使用者の操作によってサーバーから情報を検索するプルサービスと対比される概念である。
【０００３】
かかるコンテンツプッシュサービスによれば、次世代移動通信サービスは、指定時間またはあるイベントが発生したときに、天気、証券、スポーツ情報などの様々なサービスを受けようとする使用者の移動通信端末に、必要な情報を積極的に提供する。
【０００４】
従来、コンテンツプッシュサービスを提供するアプリケーションサーバーは、対応する端末が対応するアプリケーションを駆動した状態であれば、クライアントまたは端末にコンテンツを提供することができる。
【０００５】
しかしながら、端末側でコンテンツプッシュサービス用のアプリケーションの搭載が多ければ多いほど、上記アプリケーションを駆動するための端末の電力消耗は増加する。
【０００６】
前記のような理由で、端末に搭載された全てのアプリケーションを常時駆動状態にすることができないので、アプリケーションサーバーは、ショートメッセージサービス（ＳＭＳ）を利用した通知方式を用いる。
【０００７】
つまり、アプリケーションサーバーは、「Ｔｅｌｅｓｅｒｖｉｃｅ  ＩＤ」という固有の識別子を利用して、対応するアプリケーションを駆動することを端末に要請する「ＳＭＳ  Ｎｏｔｉｆｉｃａｔｉｏｎ」というメッセージを端末に送信する。そうすれば、端末は、対応するアプリケーションを駆動することになり、これによってコンテンツプッシュサービスが提供される。
【０００８】
これを行うためには、「Ｔｅｌｅｓｅｒｖｉｃｅ  ＩＤ」という固有の識別子を、全ての端末、ショートメッセージサービスセンター（ＳＭＳＣ）および移動交換局（ＭＳＣ）が認識しなければならない。したがって、「Ｔｅｌｅｓｅｒｖｉｃｅ  ＩＤ」という固有の識別子を、移動通信システムのシステムデータのように管理しなければならない。
【０００９】
また、各コンテンツプッシュサービスプロバイダは、当該アプリケーションに「Ｔｅｌｅｓｅｒｖｉｃｅ  ＩＤ」という固有の識別子を設定しなければならない。特定の移動通信事業者から承認が得られないと、コンテンツプッシュサービスプロバイダは、コンテンツプッシュサービスを提供できないという問題点がある。
【００１０】
つまり、プッシュコンテンツ別に当該アプリケーションに「Ｔｅｌｅｓｅｒｖｉｃｅ  ＩＤ」を設定しなければならないし、また、全ての端末、ショートメッセージサービスセンター（ＳＭＳＣ）および移動交換局（ＭＳＣ）が「Ｔｅｌｅｓｅｒｖｉｃｅ  ＩＤ」を認識できるようにしなければならないので、アプリケーション開発の複雑性および開発時間の増加をもたらすことになる。
【発明の概要】
【発明が解決しようとする課題】
【００１１】
したがって、本発明が目的とする技術的課題は、端末とアプリケーションサーバーとの間に標準化されたユーザーデータグラムプロトコル（ＵＤＰ）を利用してアプリケーションサーバーが送ろうとするコンテンツプッシュサービスに対応するアプリケーションを駆動するコンテンツプッシュサービス提供装置およびその方法、そのための移動端末およびその運用方法を提供することにある。
【課題を解決するための手段】
【００１２】
前述したような課題を達成するための本発明の特徴である移動端末は、コンテンツプッシュサービスを提供するための移動端末であって、各種プッシュコンテンツを受信するためのアプリケーションおよび前記アプリケーションを実行させるアプリケーション運用モジュールを記憶するメモリと、前記コンテンツプッシュサービスを提供するサーバーの要請によって、ユーザーデータグラムプロトコル（ＵＤＰ）ポートを前記サーバーとの間に設定し、前記メモリに記憶されたアプリケーション運用モジュールを起動した後、前記設定されたユーザーデータグラムプロトコルポートを通して、前記サーバーから提供されるプッシュコンテンツを受信するアプリケーションを駆動する制御部とを含む。
【００１３】
本発明の他の特徴である移動端末の運用方法は、コンテンツプッシュサービスを提供するための移動端末の運用方法であって、（ａ）コンテンツプッシュサービスを提供するサーバーとの間に設定されたユーザーデータグラムプロトコルポートを通して、前記サーバーが提供するプッシュコンテンツを受信するアプリケーションの駆動要請を受信する段階と、（ｂ）前記駆動要請により、アプリケーションを実行させるアプリケーション運用モジュールを起動した後、前記起動されたアプリケーション運用モジュールによって前記駆動要請されたアプリケーションを駆動する段階と、（ｃ）前記ユーザーデータグラムプロトコルポートを通して、前記サーバーから提供されるプッシュコンテンツを受信して、前記駆動されたアプリケーションを通して実行させる段階とを含む。
【００１４】
本発明のさらに他の特徴であるコンテンツプッシュサービス提供装置は、移動通信網を通して、移動端末にコンテンツプッシュサービスを提供するためのコンテンツプッシュサービス提供装置であって、コンテンツプッシュサービスが提供される移動端末のＩＰアドレスを前記移動通信網を通して獲得する端末ＩＰ獲得部と、前記端末ＩＰ獲得部によって獲得されたＩＰアドレスを用いて、コンテンツプッシュサービスが提供されるアプリケーションの駆動を前記移動端末に要請するアプリケーション駆動要請部と、前記移動通信網を通して、プッシュコンテンツを前記移動端末に提供するプッシュコンテンツ提供部と、前記端末ＩＰ獲得部を通して前記移動端末のＩＰアドレスを獲得し、前記アプリケーション駆動要請部を通して前記移動端末にあるアプリケーションを駆動した後、前記プッシュコンテンツ提供部を通して前記移動端末にプッシュコンテンツサービスを提供する制御部とを含む。
【００１５】
本発明のさらに他の特徴であるコンテンツプッシュサービス提供方法は、コンテンツプッシュサービスを提供するサーバーが移動通信網を通して移動端末にコンテンツプッシュサービスを提供する方法であって、（ａ）前記移動通信網を通して前記移動端末のＩＰアドレスを獲得する段階と、（ｂ）前記獲得されたＩＰアドレスを用いて前記移動端末との間に設定されたユーザーデータグラムプロトコルポートを通して、前記サーバーが提供するプッシュコンテンツを受信するアプリケーションの駆動要請を前記移動端末に送信する段階と、（ｃ）前記アプリケーションの駆動要請に対する応答が前記移動端末から受信された場合に、前記移動通信網を通して、前記移動端末にコンテンツプッシュサービスを提供する段階とを含む。
【００１６】
本発明のさらに他の特徴であるコンテンツプッシュサービス提供方法は、移動通信網でコンテンツプッシュサービスを提供する方法であって、（ａ）前記移動通信網に接続された前記コンテンツプッシュサービスを提供するサーバーから前記コンテンツプッシュサービスが提供される移動端末でのアプリケーションの駆動要請を受けて、前記移動端末との間にトラフィックチャンネルを設定する段階と、（ｂ）前記設定されたトラフィックチャンネルを通して、前記移動端末で前記サーバーから受け取られるアプリケーションの駆動要請を伝達する段階と、（ｃ）前記移動端末と前記サーバーとの間に設定されたユーザーデータグラムプロトコルポートを通して、前記サーバーから提供されるコンテンツプッシュサービスを前記移動端末に提供する段階とを含む。ここで、駆動要請には、前記移動端末のＩＰアドレスが含まれる。
【発明の効果】
【００１７】
本発明によれば、移動端末とコンテンツプッシュ提供サーバーとの間によく知られたユーザーデータグラムプロトコルポート（ＵＤＰ）を設定することによって、コンテンツプッシュ提供サーバーが当該ポートを通して移動端末にあるアプリケーションを駆動することができる。
【００１８】
したがって、既存のアプリケーションごとに特定識別子の選定および移動通信網のノードごとに特定識別子を認識しなければならないという煩わしさを解消できる。
【図面の簡単な説明】
【００１９】
【図１】本発明の実施形態によるコンテンツプッシュサービスを提供するための移動通信システムの構成図である。
【図２】本発明の実施形態によるコンテンツプッシュサービスを提供するための移動端末の内部構成図である。
【図３】本発明の実施形態によるコンテンツプッシュサービス提供サーバーの内部構成図である。
【図４】本発明の実施形態によるコンテンツプッシュサービスを提供する方法の一連の処理を説明するフローチャートである。
【発明を実施するための形態】
【００２０】
以下、添付図面を参考にして、本発明の実施形態について、本発明の属する技術分野で通常の知識を有する者が容易に実施できるように詳しく説明する。しかしながら、本発明は種々の相違した形態で具現でき、ここで説明する実施形態に限定されない。また、図面では、本発明を明確に説明する上で、不必要な部分についてはその説明を省略し、明細書全体にわたって同一の部分に対しては同一符号をつける。
【００２１】
また、ある部分がある構成要素を「含む」とするとき、これは特に反対の記載がない限り、他の構成要素を除くのではなく、他の構成要素をさらに含むことを意味する。
【００２２】
また、本明細書において、「モジュール」とは、特定の機能や動作を処理する一つの単位を意味し、これはハードウェア、ソフトウェア、またはハードウェアとソフトウェアの結合で具現化することができる。
【００２３】
以下、本発明の実施例によるコンテンツプッシュサービス提供方法、そのための移動通信システムおよび移動端末について、図面を参考にして詳細に説明する。
【００２４】
図１は、本発明の実施形態によるコンテンツプッシュサービスを提供するための移動通信システムの構成図である。
【００２５】
図１によれば、移動端末１００は移動通信網に接続される端末であって、コンテンツプッシュサービス別にコンテンツを受信するための多数のアプリケーションを含む。また、多数のアプリケーションを実行させるアプリケーション運用モジュールが搭載されている。アプリケーション運用モジュールは、コンテンツプッシュサービス提供サーバー６００と事前に協議したユーザーデータグラムプロトコル（ＵＤＰ）を利用してコンテンツプッシュサービス提供サーバー６００と連結設定を行い、コンテンツプッシュサービスを受信する。
【００２６】
コンテンツプッシュサービスを提供するための移動通信システムは、基地局２００と、基地局制御器３００と、パケットデータサービスノード４００と、ＩＰ登録サーバー５００と、コンテンツプッシュサービス提供サーバー６００とを含む。
【００２７】
基地局２００は無線接続網を通して、移動端末１００と移動通信システムとの間の無線通信を可能にする。つまり、基地局２００は、無線接続規格に従う移動端末１００との無線接続終端機能を有し、音声、映像およびデータトラフィックを送受信する機能を用いて送受信アンテナを通して移動端末１００との間で情報を送受信する。
【００２８】
基地局制御器３００は、有線・無線チャンネル管理、移動端末１００のプロトコル整合、基地局のプロトコル整合などを処理するものであって、移動端末１００の要請によりＩＰアドレス割り当てのためのトラフィックチャンネルを設定する。
【００２９】
パケットデータサービスノード４００は、パケットデータコア網と接続するＩＰ基盤パケットのサービスノードであって、パケットデータサービスのために移動端末１００にＩＰアドレスを割り当ててセッションを管理し、パケットデータのルーチング処理機能を実行し、インターネット網とパケットデータコア網とを連結するためのインターフェースを提供する。パケットデータサービスノード４００は、パケットデータサービスノード（ＰＤＳＮ）またはゲートウェイＧＰＲＳサービスノード（ＧＧＳＮ）であってもよい。
【００３０】
ＩＰ登録サーバー５００は、移動端末１００に割り当てられたＩＰアドレスを受信し、登録し、管理し、コンテンツプッシュサービス提供サーバー６００の要請があればＩＰアドレスを提供する。
【００３１】
コンテンツプッシュサービス提供サーバー６００は、移動端末１００の設定要求によって各種プッシュコンテンツを提供するサーバーである。
【００３２】
以下、コンテンツプッシュサービスを提供するための移動端末１００の細部の構成について説明する。
【００３３】
図２は、本発明の実施例によるコンテンツプッシュサービスを提供するための移動端末の内部構成図である。
【００３４】
図２によれば、移動端末１００は、メモリ１２０と、制御部１４０と、通信部１６０とを含む。
【００３５】
メモリ１２０は、各種のプッシュコンテンツを受信するためのアプリケーション１２２と、アプリケーションを実行させるアプリケーション運用モジュール１２４とを記憶する。
【００３６】
制御部１４０は、アプリケーション運用モジュール１２４を起動してコンテンツプッシュサービス提供サーバー６００との間にユーザーデータグラムプロトコル（ＵＤＰ）ポートを設定し、設定されたＵＤＰポートを通してサーバー６００が提供しようとするプッシュコンテンツに対応するアプリケーションを駆動する。
【００３７】
通信部１６０は、メモリ１２０に記憶されたアプリケーション１２２のうち、対応するアプリケーションの実行下でプッシュコンテンツを受信する。
【００３８】
ここで、制御部１４０は、より細部に、トラフィックチャンネル設定モジュール１４１と、ＩＰ割り当て制御モジュール１４２と、アプリケーション運用モジュール制御モジュール１４４と、プッシュコンテンツ提供モジュール１４６とを含む。
【００３９】
トラフィックチャンネル設定モジュール１４１は、基地局２００を通して基地局制御器３００との間にトラフィックチャンネルを設定する。
【００４０】
ＩＰ割り当て制御モジュール１４２は、電源がオンされるとトラフィックチャンネル設定モジュール１４１によって基地局制御器３００との間に設定されたトラフィックチャンネルを通して、ＩＰ登録サーバー５００からＩＰアドレスが割り当てられる。
【００４１】
アプリケーション運用モジュール制御モジュール１４４は、サーバー６００の要請によってユーザーデータグラムプロトコルポートを通してサーバー６００と連結設定を行う。
【００４２】
アプリケーション運用モジュール制御モジュール１４４は、より詳細に、受信器１４４ａと、起動部１４４ｂと、送信器１４４ｃとを含む。
【００４３】
受信器１４４ａは、ユーザーデータグラムプロトコルポートを通してサーバー６００と連結されるアプリケーション運用モジュール１２４の起動要請をサーバー６００から受信する。
【００４４】
起動部１４４ｂは、起動要請が受信されると、メモリ１２０に記憶されたアプリケーション運用モジュール１２４を呼び出して起動させる。
【００４５】
送信器１４４ｃは、呼び出したアプリケーション運用モジュール１２４の起動に対する応答をサーバー６００に送信する。
【００４６】
プッシュコンテンツ提供モジュール１４６は、アプリケーション運用モジュール１２４が起動してコンテンツプッシュサービスが提供されるアプリケーションを駆動すると、サーバー６００から、対応するコンテンツプッシュサービスを受け取り、当該アプリケーションに伝達する。
【００４７】
図３は、本発明の実施例によるコンテンツプッシュサービス提供サーバーの内部構成図である。
【００４８】
図３によれば、コンテンツプッシュサービス提供サーバー６００は、端末ＩＰ獲得部６１０と、アプリケーション駆動要請部６２０と、プッシュコンテンツデータベース（ＤＢ）６３０と、プッシュコンテンツ提供部６４０と、制御部６５０とを含む。
【００４９】
端末ＩＰ獲得部６１０は、コンテンツプッシュサービスが提供される移動端末のＩＰアドレスをＩＰ登録サーバー５００を通して獲得する。
【００５０】
アプリケーション駆動要請部６２０は、獲得された端末のＩＰアドレスを用いて、コンテンツプッシュサービスが提供されるアプリケーションの駆動を端末に要請する。
【００５１】
プッシュコンテンツデータベース６３０は、多数の端末にコンテンツプッシュサービスを提供する多様なプッシュコンテンツを記憶する。
【００５２】
プッシュコンテンツ提供部６４０は、コンテンツプッシュデータベース６３０に記憶されたプッシュコンテンツを端末に提供する。
【００５３】
制御部６５０は、特定端末に対するコンテンツプッシュサービスイベントが発生すると、端末ＩＰ獲得部６１０を通して当該端末のＩＰアドレスを獲得し、アプリケーション駆動要請部６２０を通して当該端末にあるアプリケーションを駆動した後、プッシュコンテンツ提供部６４０を通して当該端末にプッシュコンテンツサービスを提供できるように制御する。
【００５４】
次に、前述した構成に基づいてコンテンツプッシュサービスを提供する方法について説明する。
【００５５】
図４は、本発明の実施形態によるコンテンツプッシュサービスを提供する方法の一連の処理を説明するフローチャートである。
【００５６】
図４によれば、移動端末１００は、電源がオンにされると（Ｓ１０１）、メモリ１２０からアプリケーション運用モジュール１２４を呼び出してこれを実行させる（Ｓ１０３）。
【００５７】
その後、移動端末１００の制御部１４０にあるトラフィックチャンネル設定モジュール１４１を通して移動通信網に接続して、基地局制御器３００との間にトラフィックチャンネルを設定し（Ｓ１０５）、ＩＰ割り当て制御モジュール１４２を通してＩＰ登録サーバー５００からＩＰアドレスが割り当てられる（Ｓ１０７）。
【００５８】
制御部１４０は、ＩＰアドレス割り当てが完了すると、トラフィックチャンネルを解除する（Ｓ１０９）。
【００５９】
以後、コンテンツプッシュサービス提供サーバー６００でコンテンツプッシュサービスイベントが発生すると（Ｓ１１１）、コンテンツプッシュサービス提供サーバー６００の制御部６５０は、端末ＩＰ獲得部６１０を通してＩＰ登録サーバー５００から当該移動端末１００のＩＰアドレスを照会して（Ｓ１１３）、上記ＩＰアドレスが提供される（Ｓ１１５）。
【００６０】
その後、コンテンツプッシュサービスが提供される端末の制御部６１０は、アプリケーション駆動要請部６２０を通してパケットデータサービスノード４００に、ユーザーデータグラムプロトコルポートを通して移動端末１００のアプリケーション駆動を要請し（Ｓ１１７）、パケットデータサービスノード４００は、上記要請を基地局制御器３００に伝達する（Ｓ１１９）。ここで、ユーザーデータグラムプロトコルポートは、移動端末１００とサーバー６００との間で事前協議されたものであり、駆動が要請されたアプリケーションは、コンテンツプッシュサービス提供サーバー６００から提供されるコンテンツプッシュサービスを移動端末１００に提供できるアプリケーションである。また、アプリケーション駆動と共に前記段階（Ｓ１１５）で獲得されたＩＰアドレスも伝達される。
【００６１】
アプリケーション駆動が要請されると（Ｓ１１９）、基地局制御器３００は、アプリケーション駆動要請と共に伝達されるＩＰアドレスを利用して、当該移動端末１００との間にトラフィックチャンネルを設定する（Ｓ１２１）。
【００６２】
基地局制御器３００は、設定されているトラフィックチャンネルを通して移動端末１００にアプリケーション駆動を要請する（Ｓ１２３）。
【００６３】
基地局制御器３００からのアプリケーション駆動要請は、移動端末１００の通信部１６０を通して制御部１４０にあるアプリケーション運用制御モジュール１４４の受信器１４４ａに受信される。したがって、起動部１４４ｂは、受信器１４４ａを通して要請されたアプリケーションを駆動するために、まず、メモリ１２０に記憶されたアプリケーション運用モジュール１２４を呼び出して起動し、このように起動したアプリケーション運用モジュール１２４が駆動要請された当該アプリケーションを駆動する。当該アプリケーションの駆動が完了すると、送信器１４４ｃがアプリケーション駆動要請に対する応答を基地局制御器３００を通して、パケットデータサービスノード４００に伝達する（Ｓ１２５）。
【００６４】
そうすれば、パケットデータサービスノード４００は、アプリケーション駆動要請に対する応答をコンテンツプッシュサービス提供サーバー６００に伝達する（Ｓ１２７）。
【００６５】
これによって、コンテンツプッシュサービス提供サーバー６００が提供するプッシュコンテンツを受けるアプリケーションは、ユーザーデータグラムプロトコルを通して移動端末１００で駆動されて、コンテンツプッシュサービス提供サーバー６００と連結される。
【００６６】
したがって、コンテンツプッシュサービス提供サーバー６００のプッシュコンテンツ提供部６４０は、当該移動端末１００に提供されるプッシュコンテンツをプッシュコンテンツデータベース６３０から探して、ユーザーデータグラムプロトコルを通して移動端末１００に提供し、移動端末１００は、当該アプリケーションを通してコンテンツプッシュサービス提供サーバー６００から提供されるプッシュコンテンツを受けて実行させる（Ｓ１３１）。
【００６７】
本発明の権利範囲は、前述した実施形態に限定されるものではなく、下記の特許請求の範囲で定義している本発明の基本概念を利用した当業者の様々な変形および改良形態も含まれる。
【図１】
2010509833.tif 000003
【図２】
2010509833.tif 000004
【図３】
2010509833.tif 000005
【図４】
2010509833.tif 000006
【国際調査報告】
2010509833.tif 000007
2010509833.tif 000008